(57)【要約】【課題】  時計用指針に綺麗な外観仕様が得られて高級感が得られる指針を提供する。【解決手段】  時計用の指針で、分針１６なる指針の表面１６ａを光沢面に仕上げ、裏面１６ｂを装飾面に仕上げ、時針１９なる指針の表面１９ａを光沢面に仕上げる。そして、分針１６裏面１６ｂの装飾面の装飾仕様をダイヤカット仕様、研磨仕様、型打模様仕様、エッチング模様仕様、メッキ金属膜仕様、樹脂塗膜仕様などの仕様の少なくとも２種の装飾仕様で形成する。分針１６と時針１９が重なり合った時に、分針１６と時針１９の隙間から時針１９の表面１９ａ上に映し出された分針１６の裏面１６の映像１９ｅを綺麗に見えるようにする。【選択図】    図５
2007263718.tif 000002
【特許請求の範囲】
【請求項１】
時計用の秒針、分針、時針、多機能針などの指針であって、前記指針の表面と裏面に装飾面を設けていることを特徴とする時計用指針。
【請求項２】
時計用の秒針、分針、時針、多機能針などの指針であって、前記指針の表面に光沢面を設け、前記指針の裏面に装飾面を設けていることを特徴とする時計用指針。
【請求項３】
時計用の秒針、分針、時針、多機能針などの指針であって、前記指針の表面に光沢面を設け、前記指針の裏面に装飾面を設け、前記指針の下方の位置に配設した指針の光沢面を有する表面に前記装飾面を反射させて写し出るようにしたことを特徴とする時計用指針。
【請求項４】
時計用の秒針、分針、時針、多機能針などの指針であって、前記指針の表面に光沢面を設け、前記指針の裏面に装飾面を設け、該装飾面に文字、数字、記号、ロゴマークの中の少なくとも１つからなる隠し情報を設け、前記指針の下方の位置に配設した指針の光沢面を有する表面に前記隠し情報を反射させて写し出るようにしたことを特徴とする時計用指針。
【請求項５】
前記指針の素材は、銅、黄銅、洋泊、ベリリウム銅、リン青銅、チタン、チタン合金、アルミニウム、アルミニウム合金、マグネシウム、マグネシウム合金、鉄、金合金、銀、合金、プラチナ、プラチナ合金の中の少なくとも１つからなることを特徴とする請求項１乃至４のいずれか１項に記載の時計用指針。
【請求項６】
前記装飾面の装飾仕様はダイヤカット仕様であることを特徴とする請求項１乃至４のいずれか１項に記載の時計用指針。
【請求項７】
前記装飾面の装飾仕様は研磨仕様であることを特徴とする請求項１乃至４のいずれか１項に記載の時計用指針。
【請求項８】
前記装飾面の装飾仕様は型打プレス加工で形成した型打模様仕様であることを特徴とする請求項１乃至４のいずれか１項に記載の時計用指針。
【請求項９】
前記装飾面の装飾仕様はエッチング加工で形成したエッチング模様仕様であることを特徴とする請求項１乃至４のいずれか１項に記載の時計用指針。
【請求項１０】
前記装飾面の装飾仕様はメッキで形成した金属膜仕様であることを特徴とする請求項１乃至４のいずれか１項に記載の時計用指針。
【請求項１１】
前記装飾面の装飾仕様は塗装又は印刷で形成した樹脂塗膜仕様であることを特徴とする請求項１乃至４のいずれか１項に記載の時計用指針。
【請求項１２】
前記装飾面の装飾仕様はアルマイトで形成したアルマイト仕様であることを特徴とする請求項１乃至４のいずれか１項に記載の時計用指針。
【請求項１３】
前記装飾面の装飾仕様は貝、貴石などの石類、ラメ、和紙などの繊維類、などの装飾部材を貼付けた装飾部材貼付仕様であることを特徴とする請求項１乃至４のいずれか１項に記載の時計用指針。
【請求項１４】
前記装飾面は少なくとも２種の装飾仕様を設けた面からなることを特徴とする請求項１乃至１３のいずれか１項に記載の時計用指針。
【請求項１５】
秒針、分針、時針、多機能針などの時計用指針と時計用表示板を取付けた時計において、前記時計用表示板は光沢面を有し、該時計用表示板の表面に前記請求項１乃至１４のいずれか１項に記載の時計用指針を取付けて、前記時計用指針の裏面に設けた装飾面の装飾仕様を前記時計用表示板の表面に反射させて写し出るようにしたことを特徴とする時計。
【請求項１６】
秒針、分針、時針、多機能針などの時計用指針と時計用表示板を取付けた時計において、前記時計用表示板は光沢面を有し、該時計用表示板の表面に前記請求項１乃至１４のいずれか１項に記載の時計用指針を取付けて、前記時計用指針の裏面に設けた装飾面の装飾仕様と、該装飾面に設けた文字、数字、記号、ロゴマークの中の少なくとも１つからなる隠し情報とを前記時計用表示板の表面に反射させて写し出るようにしたことを特徴とする時計。
【発明の詳細な説明】
【技術分野】
【０００１】
本発明は時計用の指針、並びに、指針を用いた時計に関する。
【背景技術】
【０００２】
従来、アナログ時計においては、図１３に示すように、秒針１、分針２、時針３などの指針４と表示板６が取付けられて、表示板６の時字７を指す指針４の位置関係で時刻の表示が行われる。この秒針１、分針２、時針３などの指針４には様々な形状のもの、様々な仕様のものが用いられて時計のデザインバリエーションを豊かにしている。また、高級時計などにあっては、指針４にダイヤカット仕上げを施して綺麗な光輝感を現出し、更に、金メッキなどを施して貴金属感を持たせての高級感を現出したものなどがある。
【０００３】
指針にダイヤカットを施す従来技術の一つとして、下記特許文献に開示された技術を見ることができる。
【０００４】
【特許文献１】特開昭６４−７１５３４号公報
【０００５】
上記の特許文献には、ダイヤカット仕様の指針を得る方法として、最初の工程で、銅又は黄銅の帯材を連続的にプレス打ちしてハカマ穴、パイロット穴、逃げ穴を形成し、次に、ハカマ穴を含む帯材を連続的にプレス打ちして時計用指針の外形状の抜き戻しを行い、次に、外形状が抜き戻しされた時計用指針を含む帯材を連続的プレス打ちにて平打ちし、次に、時計用指針を含む帯材の表面部分にダイヤカット、ホーニングなどの表面仕上げを施し、次に、外形状が抜き戻しされた時計用指針を帯材から取り外し、最後に、時計用指針の表面にメッキ、塗装などによる被覆仕上げ層を形成してダイヤカット仕様の指針を得ることが記載されている。
【発明の開示】
【発明が解決しようとする課題】
【０００６】
図１４は、この様に形成したダイヤカット仕様の指針を時計に組み込んだ時における斜視図を示したものである。表面がダイヤカットされて鏡面仕様になった分針２と時針３とが部分的に重なり合いが生じてくると分針２と時針３との間に０．３〜０．４ｍｍの隙間があるためにその隙間から、図１４に示すように、時針３の鏡面仕様の表面３ａに分針２の裏面２ｂの仕様が斜線で示した映像３ｅの形で写し出されて見えてくる。即ち、時針３の表面３ａのダイヤカット仕様面が鏡として作用し、分針２と重なり合った時針３の表面３ａの部分に分針２の裏面２ｂの仕様が映像の形で現れて見えてくる。尚、秒針１と分針２との間には０．３〜０．４ｍｍの隙間間隔があるが、秒針１が分針２、時針３との重なり合う時間は僅か３〜４秒と云う時間であるので秒針１の裏面の仕様が分針２の表面２ａや時針３の表面３ａに写し出されても殆ど分からない。
【０００７】
上記の特許文献に示されたダイヤカット仕様の分針や時針は、表面側は鏡面仕様になって非常に光沢があり大変綺麗である。しかしながら、裏面側はプレス抜きそのままの状態でただメッキを施してあるだけなのでプレス抜きでのバリがそのまま付着している。このような分針と時針が重なり合った時には分針の裏面側の発生バリ（破断面も含む）の仕様が時針の表面に映像として映し出されてくる。そして、その映し出された映像には、外周にバリの凹凸があり、外周の内側は何の光沢もなく材料素地の粗さ（材料のロールマーク〔圧延のあと〕、キズ等）が現れて見えてくる。
【０００８】
分針と時針が重なり合う時間は１時間の中で僅か数分間ではあるが、その数分間の間、
時針の綺麗な鏡面外観の中に分針の裏面の粗い面が写し出されて見えてくると高級感が一時的に損ねてしまう。
【０００９】
本発明は、上記の課題に鑑みて成されたもので、今までになかった指針裏面に装飾面を設け、下方に位置する指針表面に上方に位置する指針裏面が映し出されても綺麗な外観仕様が映し出されて高級感を損なうことなく、その上、指針裏面に隠し情報等を設け、下方に位置する指針表面または時計用表示板表面に映し出せるようにし、時計の機能と面白さを向上させることのできる時計用指針及びその指針を用いた時計を提供することを目的とするものである。
【課題を解決するための手段】
【００１０】
上記の課題を解決するための手段として、本発明の時計用指針の特徴は、時計用の秒針、分針、時針、多機能針などの指針であって、前記指針の表面と裏面に装飾面を設けていることを特徴とするものである。
【００１１】
また、本発明の時計用指針の特徴は、時計用の秒針、分針、時針、多機能針などの指針であって、前記指針の表面に光沢面を設け、前記指針の裏面に装飾面を設けていることを特徴とするものである。
【００１２】
また、本発明の時計用指針の特徴は、時計用の秒針、分針、時針、多機能針などの指針であって、前記指針の表面に光沢面を設け、前記指針の裏面に装飾面を設け、前記指針の下方の位置に配設した指針の光沢面を有する表面に前記装飾面を反射させて写し出るようにしたことを特徴とするものである。
【００１３】
また、本発明の時計用指針の特徴は、時計用の秒針、分針、時針、多機能針などの指針であって、前記指針の表面に光沢面を設け、前記指針の裏面に装飾面を設け、該装飾面に文字、数字、記号、ロゴマークの中の少なくとも１つからなる隠し情報を設け、前記指針の下方の位置に配設した指針の光沢面を有する表面に前記隠し情報を反射させて写し出るようにしたことを特徴とするものである。
【００１４】
また、本発明の時計用指針の特徴は、前記指針の素材は、銅、黄銅、洋泊、ベリリウム銅、リン青銅、チタン、チタン合金、アルミニウム、アルミニウム合金、マグネシウム、マグネシウム合金、鉄、金合金、銀、銀合金、プラチナ、プラチナ合金の中の少なくとも１つからなることを特徴とするものである。
【００１５】
また、本発明の時計用指針の特徴は、前記装飾面の装飾仕様はダイヤカット仕様であることを特徴とするものである。
【００１６】
また、本発明の時計用指針の特徴は、前記装飾面の装飾仕様は研磨仕様であることを特徴とするものである。
【００１７】
また、本発明の時計用指針の特徴は、前記装飾面の装飾仕様は型打プレス加工で形成した型打模様仕様であることを特徴とするものである。
【００１８】
また、本発明の時計用指針の特徴は、前記装飾面の装飾仕様はエッチング加工で形成したエッチング模様仕様であることを特徴とするものである。
【００１９】
また、本発明の時計用指針の特徴は、前記装飾面の装飾仕様はメッキで形成した金属膜仕様であることを特徴とするものである。
【００２０】
また、本発明の時計用指針の特徴は、前記装飾面の装飾仕様は塗装又は印刷で形成した樹脂塗膜仕様であることを特徴とするものである。
【００２１】
また、本発明の時計用指針の特徴は、前記装飾面の装飾仕様はアルマイトで形成したアルマイト仕様であることを特徴とするものである。
【００２２】
また、本発明の時計用指針の特徴は、前記装飾面の装飾仕様は貝、貴石などの石類、ラメ、和紙などの繊維類、などの装飾部材を貼付けた装飾部材貼付仕様であることを特徴とするものである。
【００２３】
また、本発明の時計用指針の特徴は、前記装飾面は少なくとも２種の装飾仕様を設けた面からなることを特徴とするものである。
【００２４】
また、本発明の時計の特徴は、秒針、分針、時針、多機能針などの時計用指針と時計用表示板を取付けた時計において、前記時計用表示板は光沢面を有し、該時計用表示板の表面に前記請求項１乃至１４のいずれか１項に記載の時計用指針を取付けて、前記時計用指針の裏面に設けた装飾面の装飾仕様を前記時計用表示板の表面に反射させて写し出るようにしたことを特徴とするものである。
【００２５】
また、本発明の時計の特徴は、秒針、分針、時針、多機能針などの時計用指針と時計用表示板を取付けた時計において、前記時計用表示板は光沢面を有し、該時計用表示板の表面に前記請求項１乃至１４のいずれか１項に記載の時計用指針を取付けて、前記時計用指針の裏面に設けた装飾面の装飾仕様と、該装飾面に設けた文字、数字、記号、ロゴマークの中の少なくとも１つからなる隠し情報とを前記時計用表示板の表面に反射させて写し出るようにしたことを特徴とするものである。
【発明の効果】
【００２６】
発明の効果として、指針の表面と裏面に装飾面を設けることによって、装飾性に富んだ指針が得られる。時計の装飾を高める効果を生む。また、裏面の装飾は指針の下方に配設した他の指針の表面や時計用表示板の表面に反射によって映し出されて、一風変わった装飾も生まれ、面白さや貴重さ、珍しさなどの感情も生まれてくる。その上、隠し情報の機能を持たせることができる。
【００２７】
また、指針の表面に光沢面を設け、裏面に装飾面を設けることによって、指針に光輝さが現れてくる。そして、高級感が生まれてくる。また、裏面の装飾は指針の下方に配設した他の指針の表面や時計用表示板の表面に反射によって映し出されて、一風変わった装飾も生まれ、面白さや貴重さ、珍しさなどの感情も生まれてくる。
【００２８】
また、指針の裏面の装飾面に文字、数字、記号、ロゴマークなどの隠し情報を設けると、時計用表示板の表面に反射して写し出されて、珍しさや貴重さなどの感情が生まれ、また、オリジナリティなども生まれてくる。その上、隠し情報の機能を持たせることができる。
【００２９】
また、指針の素材として、銅、黄銅、洋泊、ベリリウム銅、リン青銅、チタン、チタン合金、アルミニウム、アルミニウム合金、マグネシウム、マグネシウム合金、鉄、金合金、銀、銀合金、プラチナ、プラチナ合金などを選択する。銅、黄銅、洋泊、ベリリウム銅、リン青銅などは快削性があるので指針の形状形成が容易である。チタン、チタン合金、マグネシウム、マグネシウム合金は軽量であり、耐蝕性があるので指針材としては好適に利用できる。また、アルミニウム、アルミニウム合金は快削性もあり、材料コストを安くできるメリットがある。鉄材も同様である。また、金合金、銀、銀合金、プラチナ、プラ
チナ合金は貴金属で、時計の高級感を更にあげることができる。
【００３０】
次に、装飾面の装飾仕様をダイヤカット仕様にすると鏡面なる光沢が得られ、光輝感の現れた指針が得られる。また、装飾仕様を研磨仕様にすると光沢感が現れた指針が得られる。ダイヤカット仕様面や研磨仕様面は光沢が現れて、指針の重なり合いが生じて指針の裏面の装飾仕様がその下方に配設した指針の表面に映し出されても、同じような光沢仕様面をなしているために、映し出された仕様面は殆ど目立たない。また、ダイヤカット仕様面や研磨仕様面はプレス加工によって発生したバリなどを除去するので指針のコーナ部などは綺麗な仕上がり面になる。また、装飾面の装飾仕様を型打模様仕様にすると映し出される装飾面に凹凸感が現れて立体感が現れてくる。また、装飾面の装飾仕様をエッチング模様仕様にすると艶消しのある様々な模様が得られる。例えば、光沢面の表面に艶消しされた模様が映し出されると目立って視認されるようになり、模様の種類も増えて興味さも増してくる。装飾面の装飾仕様をメッキによる金属膜仕様にするとその金属の持っている金属色調が現れ、装飾仕様を塗料膜仕様にすると様々なカラー色調が得られる。装飾仕様をアルマイト仕様にするとアルミニウムやアルミニウム合金の指針にも対応できて軽量で耐蝕性を向上させることができる。金属膜仕様や塗料膜仕様、アルマイト仕様などは腐蝕防止、色調の着色などの効果作用を持つ。また、装飾仕様に貝や石類、ラメ、和紙などの装飾部材を貼付けた仕様にすると、その装飾部材の持っている独特の色彩や模様などが得られるようになる。指針の表面や時計用表示板に映し出される装飾仕様にバリエーションを持たせることができる。
【００３１】
また、装飾面は少なくとも２種の装飾仕様を設けた面にする。光沢面の形成や模様の形成の他に耐蝕効果や着色効果などを付与することができる。
【００３２】
また、時計にこの様な装飾面を持った指針を設けることによって時計用表示板上に装飾模様が映し出されて、時計に珍しさや面白さなどの感情が生まれてくる。また、指針に調和の取れた綺麗な外観仕様が得られ、高級感も得られる。また、隠し情報などが映し出されて見えるとオリジナリティのある時計としての認識も生まれてくる。
【発明を実施するための最良の形態】
【００３３】
以下、本発明を実施するための最良の形態について図１〜図５を用いながら説明する。尚、図１は本発明の実施形態に係る時計用指針を用いた時計の平面図、図２は図１における秒針なる指針の平面図と要部断面図で、図２の（ａ）は平面図、図２の（ｂ）は要部断面図を示している。また、図３は図１における分針なる指針の平面図と要部断面図で、図３の（ａ）は平面図、図３の（ｂ）は要部断面図を示している。また、図４は図１における時針なる指針の平面図と要部断面図で、図４の（ａ）は平面図、図４の（ｂ）は要部断面図を示している。また、図５は本発明の実施形態に係る秒針、分針、時針の組立時の状態を説明する斜視図を示している。
【００３４】
本実施形態における時計は、図１に示すように、時計用の表示板２１上に秒針１３、分針１６、時針１９を配設して時計を構成している。そして、秒針１３、分針１６、時針１９の３種類の針でもって時計用の指針２０を構成している。尚、時計の中で多機能を持った時計などにおいてはその持っている機能に応じて機能表示をなす多機能針なる指針を設ける時計もある。また、秒針の無い時計などもあるが、本実施形態においては、秒針１３、分針１６、時針１９の３種類の針でもって構成する指針２０について説明する。
【００３５】
秒針１３なる指針は、図２に示すように、秒針体１１にハカマ１２を固定したもので構成している。秒針体１１は金属板を細長く切断したものから形成しており、回転中心軸領域に設けたリング形状の小孔にハカマ１２の凸部を挿嵌し、カシメ１２ｂを施してハカマ１２と秒針体１１を一体化している。ハカマ１２はその中心に小孔１２ａを有しており、
その小孔１２ａに図示していないムーブメントの秒針用の指針軸が挿嵌して指針軸に秒針１３を固定するようになっている。秒針体１１は黄銅板などを用いてプレス加工で所要の形状に形成して表面仕上げを施している。本実施形態においては、表面１１ａ（視認側に当たる面）にダイヤカットを行って鏡面なる光沢面に仕上げ、そして、下地メッキとしてニッケルメッキを施し、仕上げメッキとして金メッキを施している。ハカマ１２は黄銅材などから形成し、ニッケルの下地メッキの上に金メッキの仕上げメッキを施している。
【００３６】
次に、分針１６なる指針は、図３に示すように、回転中心軸の周りに小孔１６ｃのある突き出たボス１６ｄを設けており、黄銅の板材からプレス加工で形成している。この分針１６の表面１６ａ（視認側に当たる面、以降、秒針、分針、時針において視認側に当たる面を表面、表面と対向する反対側の面を裏面と表現する）はダイヤカットを行って、ダイヤカット仕様の鏡面なる光沢面をなす装飾面に仕上げている。また、裏面１６ｂはバフ研磨を施してプレス破断面のバリを除去し、材料表面を磨いての研磨仕様の光沢のある装飾面に仕上げている。そして次に、分針１６全体に下地メッキとしてニッケルメッキを施し、仕上げメッキとして金メッキを施した装飾面に仕上げている。従って、表面１６ａの装飾面は金色色調をなした鏡面光沢のある装飾面をなしており、裏面１６ｂの装飾面は金色色調をなした光沢のある装飾面をなしている。この分針１６は分針１６に設けた小孔１６ｃが図示していないムーブメントの分針用の指針軸に挿嵌して固定されるようになっている。
【００３７】
次に、時針１９なる指針は、図４に示すように、回転中心軸の周りに小孔１９ｃのある突き出たボス１９ｄを設けており、黄銅の板材からプレス加工で形成している。表面１９ａはダイヤカットを行って、ダイヤカット仕様の鏡面なる光沢面の装飾面をなしている。そして、時針１９全体に下地メッキとしてニッケルメッキを施し、仕上げメッキとして金メッキを施している。従って、時針１９の表面１９ａは金色色調をなした鏡面光沢のある装飾面をなしている。この時針１９は時針１９に設けた小孔１９ｃが図示していないムーブメントの時針用の指針軸に挿嵌して固定されるようになっている。
【００３８】
以上の構成をなした秒針１３、分針１６、時針１９をムーブメントのそれぞれの指針軸に取付けると図５に示す取付け状態が得られる。図５は分針１６と時針１９との重なり合いが一部生じたときの状態を示している。時針１９と分針１は１時間に一度数分間の重なり合いが発生する。
【００３９】
時針１９の表面１９ａはダイヤカット仕様の鏡面なる光沢面をなしているため、時針１９の表面１９ａに分針１６と重なり合った部分、即ち、図５の斜線で示した部分に分針１６の裏面１６ｂの装飾面が写し出された映像１９ｅが現れる。そして、時針１９と分針１６との０．３〜０．４ｍｍの隙間からその映し出された映像１９ｅが視認される。本実施形態においては、時針１９の表面１９ａに映し出された分針１６の裏面１６ｂの映像１９ｅは研磨仕様のバリのない光沢面になっているためにダイヤカット仕様面と外観的に目立った違いがなく、しかも、同一金メッキ色調をなしているために殆ど目立たない。そして、秒針１３、分針１６、時針１９に鏡面光沢の光輝感と金色調の貴金属感が現れて、時計に高級感が現れる。
【００４０】
本実施形態においては、分針１６の表面１６ａと時針１９の表面１９ａをダイヤカット仕様の鏡面なる光沢面にして同一仕様の装飾面にしている。また、分針１６の裏面１６ｂを研磨仕様の光沢ある装飾面にし、時針１９の表面１９ａの装飾面と分針１６の裏面１６ｂの装飾面とに外観的に目立った違いのない外観仕様を取った構成にしている。
【００４１】
本発明においては、時針１９の表面１９ａに映し出される分針１６の裏面１６ｂの装飾模様を強調することも可能である。例えば、プレス加工での型打加工を施して分針１６の
裏面１６ｂに凹凸なる型打模様を付加し、その型打模様を時針１９の表面１９ａに映し出すことによって映し出された模様に立体感のある綺麗な模様を出現させることができる。また、分針１６の裏面１６ｂにエッチング加工を施して様々なエッチング模様を形成し、そのエッチング模様を時針１９の表面１９ａに映し出すと、艶消しされた目立つ綺麗な模様が現れる。また、分針１６の裏面１６ｂに貝や石、ラメ、和紙などの装飾部材を貼付けた装飾面にして、その装飾仕様を時針１９の表面１９ａに映し出すと、その装飾部材が持つ独特の色彩模様が現れてくる。このように、時針１９の表面１９ａ上に色々な色彩模様が綺麗に現れてくると外観的に違和感を覚えず、むしろ、面白さや珍しさ、貴重感などが生まれてくる。そして、通常見えないものが、分針１６と時針１９とが重なり合った時だけ見えてくる隠れ装飾を持った珍しさのある時計を得ることができる。
【００４２】
また、メッキ処理によってメッキ金属膜を形成した金属膜仕様や塗装や印刷などで形成した塗料膜仕様も装飾面の仕様として利用することができる。金属膜は防蝕効果と金属色調を強調することができ、塗料膜は防蝕効果と様々なカラー色調を出すことができる。例えば、ダイヤカット仕様面を強調したい場合は透明な樹脂膜を被覆することによってダイヤカット面が強調できる。そして、防蝕効果も得られる。このように、ダイヤカット仕様や研磨仕様、型打模様仕様、エッチング模様仕様などとメッキの金属膜仕様や塗料膜仕様などの仕様を少なくとも２種を組み合わせて装飾面を形成すると、防蝕効果、模様効果、着色色調効果などが現れて映し出される映像にバリエーションを持たせることができる。また、指針の素材にアルミニウム材を使用した場合にはアルマイトで表面処理したアルマイト仕様が防蝕防止や、色調の着色に効果的である。その上、素材が軽量であるので、厚い材料が使用可能で、よって、型打ち等で表面に立体的な模様を入れることが可能である。尚、メッキについては電解メッキに限らず真空蒸着やスパッタリングなどの乾式メッキ方法なども利用すると良い。
【００４３】
また、本実施形態においては、分針１６の表面１６ａと時針１９の表面１９ａはダイヤカット仕様の鏡面光沢のある装飾面にし、分針１６の裏面１６ｂを研磨仕様の光沢ある装飾面にしたものであるが、分針１６の裏面１６ｂを他の仕様の装飾面にしても良いものである。例えば、ダイヤカット仕様の装飾面にすると、分針１６の表面１６ａ、時針１９の表面１９ａの装飾面と同じとなって、時針１９の表面１９ａに映し出される分針１６の裏面１６ｂの映像は同じ色調、同じ光沢をなすので殆ど分からないものとなる。また、分針１６の裏面１６ｂにダイヤカット仕様を施した後にエッチング模様を付けることも可能である。このようにすると、時針１９の表面１９ａに映し出される分針１６の裏面１６ｂの映像は金色色調の光沢面の中に艶消し模様が現れて、映像のバリエーションを増やすことができる。装飾面の装飾仕様を２種、３種と増やすことによって色々な映像を現出させることができる。
【実施例１】
【００４４】
以下、本発明の時計用指針についての実施例を説明する。最初に、実施例１を図６〜図９を用いて説明する。実施例１の分針はハカマ付の分針になっており分針体とハカマがカシメ固定されて分針体とハカマが一体化した分針になっている。そして、図６は実施例１に係る分針の平面図と要部断面図を示していて、図６の（ａ）は分針体の平面図、図６の（ｂ）は図６の（ａ）における分針体の要部断面図、図６の（ｃ）は図６の（ａ）におけるＤ−Ｄ断面図、図６の（ｄ）はハカマ付の分針の平面図、図６の（ｅ）は図６の（ｄ）におけるハカマ付の分針の要部断面図を示している。また、図７は実施例１に係る時針の平面図と要部断面図で、図７の（ａ）は平面図、図７の（ｂ）は図７の（ａ）における時針の要部断面図を示している。図８は実施例１に係る秒針の平面図と要部断面図を示しており、図８の（ａ）は平面図、図８の（ｂ）は要部断面図である。また、図９は実施例１における分針、時針、秒針を組立した時の状態を説明する斜視図を示している。
【００４５】
実施例１の分針２６なる指針はハカマ付になっており、図６の（ｄ）、（ｅ）に示すように、分針体２４にハカマ２５をカシメ固定した構成をなしている。従って、分針２６の表面は分針体２４の表面２４ａからなり、分針２６の裏面は分針体２４の裏面２４ｂからなる。ここで、分針体２４は黄銅板を用いてのプレス加工によって形成している。そして、分針２６の表面２４ａは山型になっており、傾斜面２４ａ１と傾斜面２４ａ２の２つの傾斜面を持った面で形成されている。そして、２つの傾斜面２４ａ１、２４ａ２はダイヤカット加工によるダイヤカット仕様になっており、鏡面なる光沢面をなしている。また、裏面２４ｂもダイヤカット仕様の鏡面なる光沢面をなしている。そして、下地メッキとしてニッケルメッキを施し、仕上げメッキとしてロジウムメッキを施して白色系金属色調の装飾面に仕上げている。従って、分針２６の表面２４ａの装飾面と裏面２４ｂの装飾面は共に白色系金属色調の鏡面光沢面をなした装飾面に仕上げられている。
【００４６】
上記の装飾面をなす分針２６は次のようにして形成する。最初に、帯材をプレス加工で分針体２４の形状をプレス抜きし、プッシュバック方式でプレス抜きした分針体２４を帯材の抜き跡に戻し、平打ちして分針体２４と帯材の平坦性を整える。次に、斜面形状にダイヤカットする。このダイヤカットは、外周にダイヤモンドバイトを取付けた略カップ状の回転治具（スピンドル先端の回転軸に取付け固定）を傾けた状態で回転させ、傾斜面２４ａ１又は傾斜面２４ａ２の何れか一方の傾斜面を切削し、一方の傾斜面のダイヤカットが終われば他方の傾斜面を切削する手順を取る。次に、山型のダイヤカットが終われば帯材から分針体２４を打落とし、単個にした分針体２４を加工治具に取付けて裏面２４ｂのダイヤカットを行う。これにより、プレスによるバリなども全て除去され、面も鏡面に仕上げられる。次に、ハカマ２５の凸部を分針体２４の小孔２４ｃに挿嵌し、凸部の中心の小孔２５ｃを軽く叩いて分針体２４とハカマ２５のカシメ固定を行う。次に、下地メッキとして電解メッキによるニッケルメッキを行い、最後に、仕上げメッキとしてロジウムメッキを行ってメッキ金属膜を被覆する。以上の工程を経ることによって分針２６が形成される。
【００４７】
次に、実施例１の時針２９なる指針は黄銅材から形成していて、時針２９の表面２９ａは、図７に示すように、分針２６と同様に山型の形状をなして、２つの傾斜面２９ａ１、２９ａ２を持つ。また、回転軸周辺は小孔２９ｃを設けたボス２９ｄが設けられている。表面２９ａの２つの傾斜面２９ａ１、２９ａ２は何れもダイヤカット仕様の鏡面光沢面の装飾をなしている。また、この時針２９は下地メッキとしてニッケルメッキを施し、仕上げメッキとしてロジウムメッキを施している。このような仕様で形成した時針２９の表面２９ａは白色系金属色調をなして鏡面なる光沢面の装飾面をなしている。尚、２つの傾斜面２９ａ１、２９ａ２のダイヤカット仕様面は前述の分針２６の傾斜面と同じ加工方法を取って形成する。
【００４８】
実施例１における秒針２３なる指針は、図８に示すように、秒針体２１にハカマ２２を固定したもので構成している。秒針体２１は黄銅板を細長く切断したものから形成しており、回転中心軸の領域はリング状の形状をなし、そのリング形状の小孔にハカマ２２の凸部を挿嵌し、カシメ２２ｂを施してハカマ２２と秒針体２１を一体化している。ハカマ２２はその中心に小孔２２ａを有しており、その小孔２２ａに図示していないムーブメントの秒針用の指針軸が挿嵌して指針軸に秒針２３を固定するようになっている。秒針体２１は黄銅板を用いてプレス加工で所要の形状に形成して表面仕上げを施している。実施例１においては、表面２１ａにダイヤカットを行って鏡面なる光沢面に仕上げ、そして、下地メッキとしてニッケルメッキを施し、仕上げメッキとしてロジウムメッキを施している。ハカマ２２は黄銅材などから形成し、ニッケルの下地メッキの上にロジウムメッキの仕上げメッキを施している。従って、秒針２３の表面２１ａはロジウムメッキによる白色系金属色調をなした鏡面光沢のある装飾面をなしている。尚、ハカマ２２の表面及び側面はダイヤカットが施され、鏡面光光沢面となっている。また、ハカマ２２表面、裏面及び側面
は、ダイヤカットの他に、研磨加工、挽き加工などで仕上げても良いことは言うまでもない。
【００４９】
以上の構成をなす秒針２３、分針２６、時針２９を時計に組立てした時の状態は図９に示す状態になる。図９において、分針２６と時針２９の重なり合う部分の時針２９の鏡面光沢をなす表面２９ａ上に斜線で示した分針２６下面２４ｂの装飾面の仕様が映像２９ｅとして映し出される。しかしながら、分針２６と時針２９の隙間から映し出される映像２９ｅは、時針２９の表面２９ａと分針２６の下面２４ｂは同じ仕様面をなしていることから、同じ外観仕様をなして殆ど分からない。また、秒針２３の表面２１ａと分針２６の表面２４ａと時針２９の表面２９ａは同じ白色系金属色調をなして鏡面光沢のある装飾面をなしていることから、統一感が取れて貴金属感を伴った高級感のある指針として視認される。
【実施例２】
【００５０】
次に、実施例２の指針について図１０、図１１を用いて説明する。実施例２の指針は、秒針と時針は前述の実施形態での秒針、時針と同じ仕様を取る。また、分針は前述の実施形態での分針の仕様に隠し情報を設けた仕様を取る。（分針の裏面は、バフ研磨による研磨使用の光沢面を有する。）最初に、前述の実施形態での分針の仕様に隠し情報を設けた分針について、図１０を用いて説明する。図１０は実施例２に係る分針の平面図、要部断面図、背面図を示しており、図１０の（ａ）は平面図、図１０の（ｂ）は要部断面図、図１０の（ｃ）は背面図を示している。また、図１１は実施例２における秒針、分針、時針の組立時の状態を説明する斜視図を示している。
【００５１】
実施例２の分針３６なる指針は、図１０の（ｃ）に示すように、分針３６の裏面３６ｂにＸ・Ｙなる文字の隠し情報３６ｇを設けている。この隠し情報３６ｇ以外の仕様は前述の実施形態での分針の仕様と同じ仕様を取っていて、前述の実施形態での分針に隠し情報３６ｇを設けたものから形成している。即ち、分針３６の表面３６ａは第１の装飾面を持ち、分針３６の裏面３６ｂは第２の装飾面を持っている。分針３６の表面３６ａの第１装飾面はダイヤカット仕様の鏡面なる光沢面に下地にニッケルメッキを施し、仕上げに金メッキを施しての金色色調を持った鏡面の光沢面をなす装飾面をなしている。また、分針３６の裏面３６ｂの第２の装飾面はバフ研磨による研磨仕様の光沢面に下地メッキのニッケルメッキと仕上げメッキの金メッキを施しての金色色調を持った光沢面の装飾面をなしている。そして、金色色調を持った光沢面の装飾面上にＸ・Ｙなる隠し情報３６ｇを黒色インクを用いて印刷方法で設けている。
【００５２】
実施例２の秒針は前述の実施形態で用いた秒針１３（図２参照）と同じ仕様のものを用いている。即ち、秒針１３は秒針体１１とハカマ１２とから構成し、秒針１３の表面１１ａはダイヤカット仕様の鏡面なる光沢面に仕上げ、その上に、下地のニッケルメッキと仕上げの金メッキを施した装飾面をなしている。
【００５３】
また、実施例２の時針は前述の実施形態で用いた時針１９（図４参照）と同じ仕様のものを用いている。即ち、時針１９の表面１９ａはダイヤカット仕様の鏡面なる光沢面に仕上げ、その上に、下地のニッケルメッキと仕上げの金メッキを施した装飾面をなしている。
【００５４】
上記の構成をなす秒針、分針、時針を時計に組込むと図１１に示す状態が現れる。図１１において、時針１９と分針３６との重なり合いが生じると分針３６の裏面３６ｂに形成した隠し情報３６ｇが時針１９の表面１９ａに映し出されて、時針１９の表面１９ａ上に隠し情報３６ｇの映像１９ｅが現れる。金色色調の鏡面なる光沢面上に黒色の隠し情報３６ｇがはっきりと写るので分針３６と時針１９の隙間から視認できるようになる。時針１
９の表面１９ａに映し出されるこの隠し情報３６ｇは１時間に一度、数分間だけ現れる。
【００５５】
この隠し情報３６ｇは時計所有者の名前、恋人の名前、或いは寄贈者の名前、或いは、ハートマークなどの記号など、適宜に設定して用いると良い。１時間毎に時針１９の表面１９ａに映し出されて珍しさのある時計として利用することができる。また、世界に１つしかないオリジナル時計として利用することもできる。
【実施例３】
【００５６】
実施例３は本発明の実施例２で用いた秒針、分針、時針を時計用文字板上に配設した時計に係る実施例である。実施例３に係る時計について図１２を用いて説明する。図１２は本発明の秒針、分針、時針なる指針を文字板上に配設した斜視図を示している。
【００５７】
図１２において、秒針１３、分針３６、時針１９は前述の実施例２で用いたものと同じ仕様のものを用いている。分針３６は前述の実施例２で説明した如く、分針３６の裏面３６ｂにＸ・Ｙなる隠し情報３６ｇを形成している。実施例３の時計用表示板４１は黄銅板やリン青銅板などから出来ていて、ラッピングによって表面を光沢面に仕上げている。また、ニッケルの下地メッキ、金の仕上げメッキを施して表面は金色色調の光沢面に仕上げている。そして更に、クリヤー塗膜を吹付け塗装や印刷などの方法で形成し、ラッピングによって平滑光沢面に仕上げている。また、時計用表示板４１上には金属からなる足付時字４２をカシメと接着方法で固定して設けている。
【００５８】
上記の構成をなす表示板４１、秒針１３、分針３６、時針１９は皆光沢を持った金色色調に仕上げられているので貴金属感が伴って高級感を感じさせる。また、表示板４１は光沢面をなしていることから、分針３６の裏面３６ｂに設けた隠し情報３６ｇが表示板４１に写り、表示板４１上にＸ・Ｙなる隠し情報３６ｇの映像４１ｅが現れる。この映像４１ｅは隠し情報３６ｇを黒色インクを用いて形成していることから金色色調の中に黒色で現れる。分針３６と表示板４１との間に隙間が０．８〜１．０ｍｍあるので、その隙間から隠し情報３６ｇの映像４１ｅが目立って視認されるようになる。また、この映像４１ｅは分針３６の回転と共に移動し、時針１９と重なり合った時には時針１９の表面１９ａの方に現れてくる。通常、分針３６の真上から見ると見えない装飾が分針３６と表示板４１との隙間を斜めから見ると隠し情報３６ｇの映像４１ｅ装飾が見えてきて、隠し装飾を持った珍しさのある時計が得られる。
【００５９】
尚、実施例３においては、時計用表示板４１を金色調なる光沢面に仕上げて秒針１３、分針３６、時針１９の色調と同じ色調としたものであるが、表示板４１の色調を他の色の色調にすることもできる。例えば、ロジウムメッキを施して白色系金属色調にすると、分針３６の裏面３６ｂの金色をなす装飾面の金色調も表示板４１の表面に映し出されてくる。そして、分針３６の裏面３６ｂの装飾面映像と共に隠し情報３６ｇの映像も現れてくる。また、上記実施例１〜３において、分針の裏面を装飾面の装飾仕様としたが、時針及び秒針の裏面も装飾面の装飾仕様としても良く、また、隠し情報も分針だけではなく、時針及び／または秒針にも設け、それぞれの指針の下方に位置する指針表面に映し出せるようにしても良いことは言うまでもない。
【図面の簡単な説明】
【００６０】
【図１】本発明の実施形態に係る時計用指針を用いた時計の平面図である。
【図２】図１における秒針なる指針の平面図と要部断面図で、図２の（ａ）は平面図、図２の（ｂ）は要部断面図である。
【図３】図１における分針なる指針の平面図と要部断面図で、図３の（ａ）は平面図、図３の（ｂ）は要部断面図である。
【図４】図１における時針なる指針の平面図と要部断面図で、図４の（ａ）は平面図、図４の（ｂ）は要部断面図である。
【図５】本発明の実施形態に係る秒針、分針、時針の組立時の状態を説明する斜視図である。
【図６】実施例１に係る分針の平面図と要部断面図を示していて、図６の（ａ）は分針体の平面図、図６の（ｂ）は図６の（ａ）における分針体の要部断面図、図６の（ｃ）は図６の（ａ）におけるＤ−Ｄ断面図、図６の（ｄ）はハカマ付の分針の平面図、図６の（ｅ）は図６の（ｄ）におけるハカマ付の分針の要部断面図である。
【図７】実施例１に係る時針の平面図と要部断面図で、図７の（ａ）は平面図、図７の（ｂ）は図７の（ａ）における時針の要部断面図である。
【図８】実施例１に係る秒針の平面図と要部断面図を示しており、図８の（ａ）は平面図、図８の（ｂ）は要部断面図である。
【図９】実施例１における分針、時針、秒針を組立した時の状態を説明する斜視図である。
【図１０】実施例２に係る分針の平面図、要部断面図、背面図を示しており、図１０の（ａ）は平面図、図１０の（ｂ）は要部断面図、図１０の（ｃ）は背面図である。
【図１１】実施例２における秒針、分針、時針の組立時の状態を説明する斜視図である。
【図１２】本発明の実施例３に係る秒針、分針、時針なる指針を文字板上に配設した斜視図である。
【図１３】アナログ時計の平面図である。
【図１４】従来技術におけるダイヤカット仕様の指針を時計に組み込んだ時における斜視図である。
【符号の説明】
【００６１】
１１      秒針体
１１ａ、１６ａ、１９ａ、２１ａ、２４ａ、２９ａ、３６ａ      表面
１１ｂ、１６ｂ、１９ｂ、２１ｂ、２４ｂ、２９ｂ、３６ｂ      裏面
１２、２２、２５      ハカマ
１２ａ、１６ｃ、１９ｃ、２２ａ、２４ｃ、２５ｃ、２９ｃ      小孔
１２ｂ、２２ｂ、２５ｂ      カシメ
１３、２３      秒針
１６、２６、３６      分針
１６ｄ、１９ｄ、２９ｄ      ボス
１９、２９      時針
１９ｅ、２９ｅ、４１ｅ      映像
２１、４１      時計用表示板
２２、４２      時字
２４      分針体
２４ａ１、２４ａ２、２９ａ１、２９ａ２      傾斜面
３６ｇ      ロゴマーク
【図１】
2007263718.tif 000003
【図２】
2007263718.tif 000004
【図３】
2007263718.tif 000005
【図４】
2007263718.tif 000006
【図５】
2007263718.tif 000007
【図６】
2007263718.tif 000008
【図７】
2007263718.tif 000009
【図８】
2007263718.tif 000010
【図９】
2007263718.tif 000011
【図１０】
2007263718.tif 000012
【図１１】
2007263718.tif 000013
【図１２】
2007263718.tif 000014
【図１３】
2007263718.tif 000015
【図１４】
2007263718.tif 000016